(57)【要約】【課題】作業中に表示ＬＥＤを容易に目視してバッテリ残量を確認することができる操作性の良いコードレス電動工具を提供すること。【解決手段】左右に２分割されたハウジング２内にモータ３を内蔵し、ハウジング２のハンドル部２Ｂ内にバッテリ装着用凹部２ａを形成し、ハンドル部２Ｂ内の前方に制御基板６を配置し、該制御基板６と表示ＬＥＤ８とをリードワイヤー９によって接続し、制御基板６に組み込まれた検出回路によって検出されたバッテリ残量を表示ＬＥＤ８に表示するようにしたインパクトドライバ（コードレス電動工具）１において、表示ＬＥＤ８をハンドル部２Ｂの後部に配置し、ハウジング２の一方のハンドル部２Ｂに形成されたバッテリ装着用凹部２ａの内周面に溝を形成し、該溝にリードワイヤー９を通して表示ＬＥＤ８に接続するとともに、ワイヤーカバー１２で溝を覆ってリードワイヤー９を押さえ付ける。【選択図】図１
2009072893.tif 000002
【特許請求の範囲】
【請求項１】
左右に２分割されたハウジング内にモータを内蔵し、ハウジングのハンドル部内にバッテリを挿入するためのバッテリ装着用凹部を形成し、ハンドル部内の前記バッテリ装着用凹部よりも前方に制御基板を配置し、該制御基板と表示ＬＥＤとをリードワイヤーによって接続し、制御基板に組み込まれた検出回路によって検出されたバッテリ残量を前記表示ＬＥＤに表示するようにしたコードレス電動工具において、
前記表示ＬＥＤを前記ハンドル部の後部に配置し、２分割された前記ハウジングの一方のハンドル部に形成された前記バッテリ装着用凹部の内周面に溝を形成し、該溝に前記リードワイヤーを通して前記表示ＬＥＤに接続するとともに、ワイヤーカバーで前記溝を覆って前記リードワイヤーを押さえ付けたことを特徴とするコードレス電動工具。
【請求項２】
２分割された前記ハウジングの他方で前記ワイヤーカバーを挟み込み、該ワイヤーカバーがハンドル部内壁より出っ張らないようにしたことを特徴とする請求項１記載のコードレス電動工具。
【発明の詳細な説明】
【技術分野】
【０００１】
本発明は、バッテリ残量を表示するための表示ＬＥＤを備えたコードレス電動工具に関するものである。
【背景技術】
【０００２】
従来のコードレス電動工具を図４に基づいて説明する。
【０００３】
図４は従来のコードレス電動工具の一形態であるインパクトドライバの破断側面図であり、図示のインパクトドライバ１０１の本体は、左右に２分割された側面視Ｔ字状を成すハウジング１０２を備えており、このハウジング１０２の胴体部１０２Ａには駆動源であるモータ１０３や不図示の減速機構、回転打撃機構等が内蔵されている。
【０００４】
又、ハウジング１０２の胴体部１０２Ａから略直角に一体に延びるハンドル部１０２Ｂの下部には充電可能なバッテリ１０４が装着され、ハンドル部１０２Ｂの上部前面には、バッテリ１０４から前記モータ１０３への給電をＯＮ／ＯＦＦして該モータ１０３を起動／停止するためのメインスイッチ１０５が設けられている。
【０００５】
更に、ハウジング１０２のハンドル部１０２Ｂ内の下部には制御基板１０６やバッテリクリップ１０７の他、バッテリ１０４の残量を表示する表示ＬＥＤ１０８が内蔵されており、この表示ＬＥＤ１０８は、リードワイヤー１０９を介して制御基板１０６に電気的に接続されている。尚、制御基板１０６には、バッテリ１０４の残量を検出する検出回路が組み込まれており、検出されたバッテリ１０４の残量は表示ＬＥＤ１０８に表示される。
【０００６】
而して、主電源であるバッテリ１０４をハウジング１０２のハンドル部１０２Ｂのバッテリ装着用凹部１０２ａに挿入して装着すると、バッテリ１０４のターミナル１１０が本体側のバッテリクリップ１０７に嵌合することによってメインスイッチ１０５及び制御基板１０６とバッテリ１０４とが電気的に接続される。
【０００７】
ところで、制御基板１０６は、通常、バッテリ１０４とドライバ本体との重量バランス等を考慮して、ハウジング１０２のハンドル部１０２Ｂ下部内のバッテリ１０４との間に形成された空間Ｓ内に配置され、この制御基板１０６の近傍に表示ＬＥＤ１０８が配置されていた。このように表示ＬＥＤ１０８を制御基板１０６の近傍に配置していた理由は、バッテリ１０４がハンドル部１０２Ｂ内のバッテリ装着用凹部１０２ａに挿入されるため、表示ＬＥＤ１０８と繋がっているリードワイヤー１０９をハンドル部１０２Ｂ内のバッテリ装着用凹部１０２ａを通過してハンドル部１０２Ｂの後部へと配索することができないためであって、この理由から表示ＬＥＤ１０８をハンドル部１０２Ｂの後部に配置することができなかった。
【特許文献１】特開２００５−２９７１２１号公報
【発明の開示】
【発明が解決しようとする課題】
【０００８】
上述のように図４に示した従来のインバクトドライバ１０１においては、バッテリ１０４の残量を表示する表示ＬＥＤ１０８がハウジング１０２のハンドル部１０２Ｂの前方に位置しているため、作業時にはハンドル部１０２Ｂや作業者の手が邪魔になって表示ＬＥＤ１０８を目視することはできず、バッテリ１０４の残量を確認することができず、作業終了後に表示ＬＥＤ１０８を改めて矢印Ｌ’方向から目視してバッテリ１０４の残量を確認する必要があるために不便であった。
【０００９】
本発明は上記問題に鑑みてなされたもので、その目的とする処は、作業中に表示ＬＥＤを容易に目視してバッテリ残量を確認することができる操作性の良いコードレス電動工具を提供することにある。
【課題を解決するための手段】
【００１０】
上記目的を達成するため、請求項１記載の発明は、左右に２分割されたハウジング内にモータを内蔵し、ハウジングのハンドル部内にバッテリを挿入するためのバッテリ装着用凹部を形成し、ハンドル部内の前記バッテリ装着用凹部よりも前方に制御基板を配置し、該制御基板と表示ＬＥＤとをリードワイヤーによって接続し、制御基板に組み込まれた検出回路によって検出されたバッテリ残量を前記表示ＬＥＤに表示するようにしたコードレス電動工具において、前記表示ＬＥＤを前記ハンドル部の後部に配置し、２分割された前記ハウジングの一方のハンドル部に形成された前記バッテリ装着用凹部の内周面に溝を形成し、該溝に前記リードワイヤーを通して前記表示ＬＥＤに接続するとともに、ワイヤーカバーで前記溝を覆って前記リードワイヤーを押さえ付けたことを特徴とする。
【００１１】
請求項２記載の発明は、請求項１記載の発明において、２分割された前記ハウジングの他方で前記ワイヤーカバーを挟み込み、該ワイヤーカバーがハンドル部内壁より出っ張らないようにしたことを特徴とする。
【発明の効果】
【００１２】
請求項１記載の発明によれば、２分割されたハウジングの一方のハンドル部に形成されたバッテリ装着用凹部の内周面に形成された溝にリードワイヤーを通すことによって、制御基板から延びるリードワイヤーをバッテリ装着用凹部の周囲に沿ってハンドル部後部まで配索することができるため、表示ＬＥＤをハンドル部の後部に配置することができ、作業中であっても作業者はハンドル部や自分の手によって邪魔されることなく表示ＬＥＤをハンドル部の後方から容易に目視することができ、バッテリの残量を確認しながら操作性良く作業を進めることができる。
【００１３】
請求項２記載の発明によれば、２分割されたハウジングの他方でワイヤーカバーを挟み込み、該ワイヤーカバーがハンドル部内壁より出っ張らないようにしたため、バッテリの装着時にワイヤーカバーがバッテリと干渉することがなく、バッテリの装着を支障なく円滑に行うことができる。
【発明を実施するための最良の形態】
【００１４】
以下に本発明の実施の形態を添付図面に基づいて説明する。
【００１５】
図１は本発明に係るコードレス電動工具の一形態としてのインパクトドライバの破断側面図、図２は図１のＡ−Ａ線断面図、図３は図１のＢ−Ｂ線断面図である。
【００１６】
本実施の形態に係るインパクトドライバ１の基本構成は図４に示した従来のものと同じである。即ち、本実施の形態に係るインパクトドライバ１の本体は、左右に２分割された側面視Ｔ字状を成すハウジング２を備えており、このハウジング２の胴体部２Ａには駆動源であるモータ３や不図示の減速機構、回転打撃機構等が内蔵されている。
【００１７】
又、ハウジング２の胴体部２Ａから略直角に一体に延びるハンドル部２Ｂの下部には充電可能なバッテリ４が装着され、ハンドル部２Ｂの上部前面には、バッテリ４から前記モータ３への給電をＯＮ／ＯＦＦして該モータ３を起動／停止するためのメインスイッチ５が設けられている。
【００１８】
更に、ハウジング２のハンドル部２Ｂ内の下部には制御基板６やバッテリクリップ７の他、バッテリ４の残量を表示する表示ＬＥＤ８が内蔵されており、この表示ＬＥＤ８は、リードワイヤー９を介して制御基板６に電気的に接続されている。尚、制御基板６には、バッテリ４の残量を検出する検出回路が組み込まれており、検出されたバッテリ４の残量は表示ＬＥＤ８に表示される。
【００１９】
而して、主電源であるバッテリ４をハウジング２のハンドル部２Ｂの装着用凹部２ａに挿入して装着すると、バッテリ４のターミナル１０が本体側のバッテリクリップ７に嵌合することによってメインスイッチ５及び制御基板６とバッテリ４とが電気的に接続される。
【００２０】
ところで、制御基板６は、通常、バッテリ４とドライバ本体との重量バランス等を考慮して、ハウジング２のハンドル部２Ｂ下部内のバッテリ４との間に形成された空間Ｓ内に配置されているが、本実施の形態では、ハンドル部２Ｂのバッテリ装着用凹部２ａを間に挟んで制御基板６とは反対側、つまり、ハンドル部２Ｂの後部に表示ＬＥＤ８を配置しており、そのために該表示ＬＥＤ８と制御基板６を接続するリードワイヤー９の配索構造に以下のような工夫がなされている。
【００２１】
即ち、図２及び図３に示すように、左右に２分割されたハウジング２の一方のハンドル部２Ｂに形成されたバッテリ装着用凹部２ａの内周面に溝１１を形成し、制御基板６から延びる２本のリードワイヤー９を溝１１内に通してこれをハンドル部２Ｂの後部へと導き、ハンドル部２Ｂの後部に配置された表示ＬＥＤ８にリードワイヤー９を電気的に接続している。そして、リードワイヤー９が通された溝１１を半リング状のワイヤーカバー１２で覆い、該ワイヤーカバー１２でリードワイヤー９を押さえ付け、このワイヤーカバー１２を２分割されたハウジング２の他方でハンドル部内壁２ｂより出っ張らないに挟み込むことによってワイヤーカバー１２を固定するようにしている。
【００２２】
以上のように、本実施の形態では、２分割されたハウジング２の一方のハンドル部２Ｂに形成されたバッテリ装着用凹部２ａの内周面に形成された溝１１にリードワイヤー９を通すことによって、制御基板６から延びるリードワイヤー９をバッテリ装着用凹部２ａの周囲に沿ってハンドル部２Ｂの後部まで配索するようにしたため、表示ＬＥＤ８をハンドル部２Ｂの後部に配置することができ、作業中であっても作業者はハンドル部２Ｂや自分の手によって邪魔されることなく表示ＬＥＤ８をハンドル部２Ｂの後方から図１の矢印Ｌ方向に容易に目視することができ、バッテリ４の残量を確認しながら操作性良く作業を進めることができる。
【００２３】
又、本実施の形態では、２分割されたハウジング２の他方でワイヤーカバー１２を挟み込み、該ワイヤーカバー１２がハンドル部内壁２ｂより出っ張らないようにしたため、バッテリ４の装着時にワイヤーカバー１２がバッテリ４と干渉することがなく、バッテリ４の装着を支障なく円滑に行うことができる。
【００２４】
尚、以上は本発明をインパクトドライバに対して適用した形態について説明したが、本発明は、バッテリ残量を表示する表示ＬＥＤを備えた他の任意のコードレス電動工具に対しても同様に適用可能であることは勿論である。
【図面の簡単な説明】
【００２５】
【図１】本発明に係るインパクトドライバの破断側面図である。
【図２】図１のＡ−Ａ線断面図である。
【図３】図１のＢ−Ｂ線断面図である。
【図４】従来のインパクトドライバの破断側面図である。
【符号の説明】
【００２６】
１      インパクトドライバ（コードレス電動工具）
２      ハウジング
２Ａ    ハウジングの胴体部
２Ｂ    ハウジングのハンドル部
２ａ    ハンドル部のバッテリ装着用凹部
２ｂ    ハウジングのハンドル部内壁
３      モータ
４      バッテリ
５      メインスイッチ
６      制御基板
７      バッテリクリップ
８      表示ＬＥＤ
９      リードワイヤー
１０    バッテリのターミナル
１１    溝
１２    ワイヤーカバー
Ｓ      空間
【図１】
2009072893.tif 000003
【図２】
2009072893.tif 000004
【図３】
2009072893.tif 000005
【図４】
2009072893.tif 000006